(57)【要約】  適切な大きさの分割領域を設定し、各分割領域に対してより見易い表示形態で表示情報を表示することができる。また、それぞれが情報を表示する複数の表示領域のレイアウトをユーザが簡単に変えることができる。  表示領域を備えた表示部を有する車載器であって、タッチパネルの操作を検知する操作検知部と、検知された操作に基づき、表示領域を分割した分割領域に関する所定のレイアウトの中から１つのレイアウトを特定し、特定した該レイアウトに従って前記分割領域を設定する分割領域設定部と、前記分割領域の設定位置に対応付けられた表示情報の種類と前記分割領域の形状タイプとに基づいて、前記表示情報の項目および表示形態を各分割領域ごとに特定し、特定した前記表示形態により前記表示情報を対応する前記分割領域に表示する表示情報生成部と、を有する。
2017111075.tif 000002
【特許請求の範囲】
【請求項１】
表示領域を備えた表示部を有する車載器であって、
タッチパネルの操作を検知する操作検知部と、
検知された操作に基づき、表示領域を分割した分割領域に関する所定のレイアウトの中から１つのレイアウトを特定し、特定した該レイアウトに従って前記分割領域を設定する分割領域設定部と、
前記分割領域の設定位置に対応付けられた表示情報の種類と前記分割領域の形状タイプとに基づいて、前記表示情報の項目および表示形態を各分割領域ごとに特定し、特定した前記表示形態により前記表示情報を対応する前記分割領域に表示する表示情報生成部と、を有する
ことを特徴とする車載器。
【請求項２】
請求項１に記載の車載器であって、
前記分割領域設定部は、
前記操作検知部により検知された操作の解除位置に基づき、前記分割領域のレイアウトを特定する
ことを特徴とする車載器。
【請求項３】
請求項１に記載の車載器であって、
前記分割領域設定部は、
前記操作検知部により検知された前記タッチパネル上の操作方向に基づき、前記分割領域のレイアウトを特定する
ことを特徴とする車載器。
【請求項４】
請求項１に記載の車載器であって、
前記分割領域設定部は、
前記操作検知部により検知された操作の解除位置または
タッチ位置とタッチ回数と、に基づいて、画面全体を１つの表示領域とした全画面領域を設定し、
前記表示情報生成部は、
前記操作の解除位置または前記タッチ位置に対応付けられた前記表示情報の種類と、前記表示領域の形状タイプとに基づいて、前記表示情報の項目および表示形態を特定し、
特定した前記表示形態により前記表示情報を表示する
ことを特徴とする車載器。
【請求項５】
請求項１に記載の車載器であって、
前記分割領域のレイアウトは、
前記表示領域全体の相似形であって、前記表示領域全体の略３／４の面積を占める分割領域と、
前記相似形の分割領域を区画する長辺および短辺を延長して形成される複数の分割領域とにより構成されている
ことを特徴とする車載器。
【請求項６】
表示領域を備えた表示部を有する車載器により実行される表示領域分割方法であって、
前記車載器は、
タッチパネルの操作を検知する検知ステップと、
検知された操作に基づき、表示領域を分割した分割領域に関する所定のレイアウトの中から１つのレイアウトを特定し、特定した前記レイアウトに従って該分割領域を設定する分割領域設定ステップと、
前記分割領域の設定位置に対応付けられた表示情報の種類と前記分割領域の形状タイプとに基づいて、前記表示情報の項目および表示形態を各分割領域ごとに特定し、特定した前記表示形態により前記表示情報を対応する前記分割領域に表示する表示ステップと、行う
ことを特徴とする表示領域分割方法。
【請求項７】
コンピュータを、表示領域を備えた表示部を有する車載器として機能させるプログラムであって、
前記コンピュータを、
タッチパネルの操作を検知する操作検知部と、
検知された操作に基づき、表示領域を分割した分割領域に関する所定のレイアウトの中から１つのレイアウトを特定し、特定した前記レイアウトに従って該分割領域を設定する分割領域設定部と、
前記分割領域の設定位置に対応付けられた表示情報の種類と前記分割領域の形状タイプとに基づいて、前記表示情報の項目および表示形態を各分割領域ごとに特定し、特定した前記表示形態により前記表示情報を対応する前記分割領域に表示する表示情報生成部として機能させる
ことを特徴とするプログラム。
【請求項８】
第１の情報を表示する第１の表示領域と第２の情報を表示する第２の表示領域とを含む表示領域のレイアウトを複数種類記憶する記憶部と、
前記第１の表示領域で表示される第１の情報と、前記第２の表示領域で表示される第２の情報と、を決定する制御部と、を備え、
前記制御部は、
タッチパネルへの接触が解除された位置に基づいて、前記複数種類のレイアウトのうちの何れかを選択することを特徴とする情報制御装置。
【請求項９】
請求項８に記載の情報制御装置であって、
前記制御部は、
前記タッチパネルへの接触が解除された位置が前記第１の表示領域内のとき、第１の前記レイアウトを選択し、
前記タッチパネルへの接触が解除された位置が前記第２の表示領域内のとき、第２の前記レイアウトを選択する
ことを特徴とする情報制御装置。
【請求項１０】
請求項８または９に記載の情報制御装置であって、
前記制御部は、
前記タッチパネルへの接触が解除されたとき、当該解除位置に応じて、一の表示領域と他の表示領域とを区画する区画線および当該区画線同士の交点を前記レイアウトに従って所定位置に移動させる
ことを特徴とする情報制御装置。
【請求項１１】
請求項８〜１０のいずれか一項に記載の情報制御装置であって、
前記制御部は、
第１の態様で前記タッチパネルへの接触が行われると、当該タッチパネルへの接触が解除された位置に基づいて前記複数種類のレイアウトのうちの何れかを選択し、
第２の態様で前記タッチパネルへの接触が行われると、当該タッチパネルへの接触が行われた位置と当該接触が解除された位置とによって特定される方向に基づき、前記複数種類のレイアウトのうちの何れかを選択する
ことを特徴とする情報制御装置。
【請求項１２】
請求項８〜１１のいずれか一項に記載の情報制御装置であって、
前記制御部は、
前記第１のレイアウトが選択されているときに前記第１の表示領域で表示する前記第１の情報に含まれる表示項目と、前記第２のレイアウトが選択されているときに前記第１の表示領域で表示する前記第１の情報に含まれる表示項目とを異ならせて表示する
ことを特徴とする情報制御装置。
【請求項１３】
請求項１２に記載の情報制御装置であって、
前記制御部は、
前記表示項目への接触が行われると、前記第１の表示領域に表示された前記第１の情報の表示を変更する
ことを特徴とする情報制御装置。
【発明の詳細な説明】
【技術分野】
【０００１】
本発明は、車載器、表示領域分割方法、プログラムおよび情報制御装置に関する。本発明は2015年12月22日に出願された日本国特許の出願番号2015-249794の優先権を主張し、文献の参照による織り込みが認められる指定国については、その出願に記載された内容は参照により本出願に織り込まれる。
【背景技術】
【０００２】
特許文献１には、表示領域に表示を行う表示部と、表示領域に対する操作を検出する操作検出部と、表示部を制御する表示制御部とを備える電子機器が開示されている。また、同文献には、表示制御部は、表示領域に含まれる第１表示領域を複数の分割領域に分割し、当該複数の分割領域のそれぞれの表示を独立して制御する分割表示モードを有し、分割表示モードにおいて、複数の分割領域のそれぞれに対する設定を可能にする設定を可能にする一つの操作対象画像を表示部に表示させる、と記載されている。
【先行技術文献】
【特許文献】
【０００３】
【特許文献１】特開２０１５‐８７８６１号公報
【発明の概要】
【発明が解決しようとする課題】
【０００４】
特許文献１の電子機器は、分割領域の大きさをユーザの自由可変とし、大きさが変更された各分割領域には、変更前に表示されていた画像の縦横比を変更した画像を表示する。しかしながら、ユーザ操作次第では、１つの分割領域が表示領域として適さない形状や大きさとなってしまう虞がある。また、小さい分割領域に対して、変更前に表示していた情報量を全て表示させた場合や、縦横比を変更して表示させた場合に、表示された情報が非常に見づらくなってしまうという問題もある。【０００５】
そこで、本発明は、適切な大きさの分割領域を設定し、各分割領域に対してより見易い表示形態で表示情報を表示することができる車載器の提供を目的とする。【０００６】
また、本発明は、それぞれが情報を表示する複数の表示領域のレイアウトをユーザが簡単に変えることができる情報制御装置を提供することを目的とする。
【課題を解決するための手段】
【０００７】
上記課題を解決するため、本発明に係る車載器は、表示領域を備えた表示部を有する車載器であって、タッチパネルの操作を検知する操作検知部と、検知された操作に基づき、表示領域を分割した分割領域に関する所定のレイアウトの中から１つのレイアウトを特定し、特定した前記レイアウトに従って該分割領域を設定する分割領域設定部と、前記分割領域の設定位置に対応付けられた表示情報の種類と前記分割領域の形状タイプとに基づいて、前記表示情報の項目および表示形態を各分割領域ごとに特定し、特定した前記表示形態により前記表示情報を対応する前記分割領域に表示する表示情報生成部と、を有する。
【発明の効果】
【０００８】
本発明に係る車載器によれば、適切な大きさの分割領域を設定し、各分割領域に対してより見易い表示形態で表示情報を表示することができる。【０００９】
また、本発明によれば、それぞれが情報を表示する複数の表示領域のレイアウトをユーザが簡単に変えることができる情報制御装置を提供することができる。【００１０】
なお、上記以外の課題、構成および効果等は、以下の実施形態の説明により明らかにされる。
【図面の簡単な説明】
【００１１】
【図１】本発明の一実施形態に係る車載器の概略構成を示した図である。
【図２】本発明の一実施形態に係る車載器の機能ブロックの一例を示した図である。
【図３】本発明の一実施形態に係る分割領域のレイアウトを示した図である。
【図４】図４（ａ）は、タッチ解除検知領域Ｏ〜Ｒとタッチ解除位置の一例を示した図である。図４（ｂ）は、タッチ解除検知領域Ｅ１〜Ｅ４とタッチ解除位置Ｆ１〜Ｆ４の一例を示した図である。
【図５】図５（ａ）は、ポインタの移動と分割領域の形状変化とを示した図である。図５（ｂ）は、タッチ解除前後のポインタ位置Ｎおよび分割領域の変化を示した図である。
【図６】図６（ａ）は、フリック操作（あるいはスワイプ操作）の方向を示した図である。図６（ｂ）は、フリック操作（あるいはスワイプ操作）の方向に基づいて変更された分割領域のレイアウトを示した図である。
【図７】図７（ａ）、（ｂ）は、分割領域のタイプ別に異なる表示形態で表示された表示情報を示した図である。
【図８】図８（ａ）、（ｂ）は、分割領域のタイプ別に異なる表示形態で表示された表示情報を示した図である。
【図９】本発明の一実施形態に係る表示領域分割処理の流れを示したフロー図である。
【図１０】図１０（ａ）は、各分割領域に表示された表示情報の一例とポインタのドラッグ操作およびフリック操作（あるいはスワイプ操作）を示した図である。図１０（ｂ）は、ドラッグ操作およびフリック操作（あるいはスワイプ操作）により変更された分割領域のレイアウトおよび変更後の分割領域に表示された表示情報の一例を示した図である。
【図１１】図１１（ａ）は、各分割領域に表示された表示情報の一例とポインタのドラッグ操作およびフリック操作（あるいはスワイプ操作）を示した図である。図１１（ｂ）は、ドラッグ操作およびフリック操作（あるいはスワイプ操作）により変更された分割領域のレイアウトおよび変更後の分割領域に表示された表示情報の一例を示した図である。
【図１２】本発明の一実施形態に係る表示ルール情報の一例を示した図である。
【図１３】２本指で表示領域をフリック操作した場合の分割表示領域のレイアウト変更を示した図である。
【図１４】レイアウトに応じて変化する表示内容の一例を示した図である。
【発明を実施するための形態】
【００１２】
以下、本発明の一実施形態について説明する。
【００１３】
図１は、本実施形態に係る車載器１００の概略構成を示した図である。車載器１００は、例えば、ナビゲーション機能を備えた車載ナビゲーション装置によって実現可能である。ここで、ナビゲーション機能とは、地図情報の表示、出発地（または現在地）から目的地までの推奨経路の探索および誘導、交通情報の表示といった通常のナビゲーション装置が備える機能である。なお、車載器１００は、ナビゲーション装置に限定されるものではなく、例えば、スマートフォン、タブレット端末装置およびＰＤＡ（Ｐｅｒｓｏｎａｌ  Ｄａｔａ  Ａｓｓｉｓｔａｎｃｅ）などであっても良い。この場合、ナビゲーション機能は、これらの装置にインストールされたアプリケーションまたはこれらの装置が接続可能なサーバ装置によって提供される。
【００１４】
図示するように、車載器１００は、演算処理装置１と、ディスプレイ２と、記憶装置３と、音声入出力装置４（音声入力装置としてのマイクロフォン４１と、音声出力装置としてのスピーカ４２とを有する）と、入力装置５と、ＲＯＭ(Ｒｅａｄ  Ｏｎｌｙ  Ｍｅｍｏｒｙ)装置６と、車速センサ７と、ジャイロセンサ８と、ＧＰＳ(Ｇｌｏｂａｌ  Ｐｏｓｉｔｉｏｎｉｎｇ  Ｓｙｓｔｅｍ)受信装置９と、ＦＭ多重放送受信装置１０と、ビーコン受信装置１１とを有している。
【００１５】
演算処理装置１は、車載器１００の様々な処理を行う中心的なユニットである。演算処理装置１は、例えば、車速センサ７などの各種センサおよびＧＰＳ受信装置９から出力された情報を用いて現在地を検出する。また、演算処理装置１は、得られた現在地情報に基づいて、表示に必要な地図情報を記憶装置３あるいはＲＯＭ装置６から読み出す。また、演算処理装置１は、読み出した地図情報をグラフィックス展開し、そこに現在地を示すマークを重ねてディスプレイ２へ表示させる信号を出力する。また、演算処理装置１は、記憶装置３あるいはＲＯＭ装置６に記憶されている地図情報などを用いて、ユーザから指示された出発地と目的地とを結ぶ推奨経路を算出する。また、演算処理装置１は、スピーカ４２やディスプレイ２に所定の信号を出力して経路の誘導を行う。
【００１６】
また、演算処理装置１は、表示領域を所定の割合で分割した分割領域を設定する。また、演算処理装置１は、分割領域のレイアウトに応じた所定の表示情報を所定の表示形態で各分割領域に表示する。
【００１７】
このような演算処理装置１は、数値演算及び各デバイスを制御するなど様々な処理を実行するＣＰＵ(Ｃｅｎｔｒａｌ  Ｐｒｏｃｅｓｓｉｎｇ  Ｕｎｉｔ)２１と、記憶装置３またはＲＯＭ２３などのメモリ装置から読み出した地図情報や演算データなどを一時的に格納するＲＡＭ(Ｒａｎｄｏｍ  Ａｃｃｅｓｓ  Ｍｅｍｏｒｙ)２２と、ＣＰＵ２１が実現するブートプログラムなどを格納するＲＯＭ２３と、演算処理装置１に各種ハードウェアを接続するためのＩ／Ｆ（インターフェイス）２４と、これらを相互に接続するバス２５とを有している。
【００１８】
ディスプレイ２は、グラフィックス情報を表示するユニットである。ディスプレイ２は、例えば、液晶ディスプレイや有機ＥＬディスプレイなどで構成される。
【００１９】
記憶装置３は、ＨＤＤ（Ｈａｒｄ  Ｄｉｓｋ  Ｄｒｉｖｅ）や不揮発性メモリカードといった、少なくとも読み書きが可能な記憶媒体で構成される。記憶装置３には、例えば、演算処理装置１によって用いられる様々な情報（例えば、地図情報および表示ルール情報など）が格納されている。なお、表示ルール情報の詳細については後述する。
【００２０】
音声入出力装置４は、音声入力装置としてのマイクロフォン４１と、音声出力装置としてのスピーカ４２とを有する。マイクロフォン４１は、運転者や同乗者の発した声（ユーザ発話）など、車載器１００の外部の音声を取得する。また、スピーカ４２は、演算処理装置１で生成されたドライバなどへの案内を音声として出力する。
【００２１】
入力装置５は、ユーザからの指示入力を受け付ける装置である。入力装置５は、タッチパネル５１と、ダイヤルスイッチ５２と、その他のハードスイッチであるスクロールキー、など（図示せず）で構成されている。入力装置５は、各キーや各スイッチの操作に応じた情報を演算処理装置１など他の装置に出力する。
【００２２】
タッチパネル５１は、ディスプレイ２の表示面側に搭載され、表示画面を透視可能に搭載された入力装置５である。タッチパネル５１は、人の指によるタッチや専用のタッチペンによるタッチを検知する。ユーザによるタッチ位置は、例えば、タッチパネル５１上に設定されるＸＹ座標に基づき特定される。このようなタッチパネル５１は、例えば、静電容量方式による入力検出素子などで構成される。
【００２３】
ＲＯＭ装置６は、ＣＤ（Ｃｏｍｐａｃｔ  Ｄｉｓｋ）-ＲＯＭやＤＶＤ（Ｄｉｇｉｔａｌ  Ｖｅｒｓａｔｉｌｅ  Ｄｉｓｋ）-ＲＯＭなどのＲＯＭ、ＩＣ（Ｉｎｔｅｇｒａｔｅｄ  Ｃｉｒｃｕｉｔ）カードなどの、少なくとも読み取りが可能な記憶媒体で構成されている。この記憶媒体には、例えば、動画データや、音声データなどが記憶されている。
【００２４】
車速センサ７は、車速を算出するのに用いる値を出力するセンサである。ジャイロセンサ８は、光ファイバジャイロや振動ジャイロなどで構成され、移動体の回転による角速度を検出するセンサである。ＧＰＳ受信装置９は、ＧＰＳ衛星からの信号を受信し移動体とＧＰＳ衛星間の距離と距離の変化率とを３個以上の衛星に対して測定することで移動体の現在地、進行速度および進行方位を測定するものである。これらの各装置は、車載器１００が搭載された車両の現在地を検出するために演算処理装置１で用いられる。
【００２５】
ＦＭ多重放送受信装置１０は、ＦＭ放送局から送られてくるＦＭ多重放送信号を受信する。ＦＭ多重放送には、ＶＩＣＳ情報の概略現況交通情報、規制情報、ＳＡ／ＰＡ（サービスエリア／パーキングエリア）情報、駐車場情報、天気情報およびＦＭ多重一般情報としてラジオ局が提供する文字情報などが含まれている。
【００２６】
ビーコン受信装置１１は、ＶＩＣＳ情報などの概略現況交通情報、規制情報、ＳＡ／ＰＡ（サービスエリア／パーキングエリア）情報、駐車場情報、天気情報および緊急警報などを受信する。ビーコン受信装置１１には、例えば、光により通信する光ビーコン、電波により通信する電波ビーコンなどがある。
【００２７】
以上、車載器１００のハードウェア構成について説明した。
【００２８】
次に、車載器１００の機能構成を示す機能ブロックについて説明する。図２は、車載器１００の機能ブロックの一例を示した図である。車載器１００は、演算部１０１と、記憶部１０２とを有している。また、演算部１０１は、入力受付部１１１と、操作検知部１１２と、表示領域設定部１１３と、表示情報生成部１１４とを有している。
【００２９】
入力受付部１１１は、車載器１００が備える入力装置５（この場合、ダイヤルスイッチ５２やその他のハードスイッチ）を介して、ユーザからの指示や情報の入力を受け付ける機能部である。例えば、入力受付部１１１は、入力装置５を介して、出発地および目的地の設定や推奨経路の探索指示などをユーザから受け付ける。
【００３０】
操作検知部１１２は、ユーザの指または専用のタッチペンによるタッチパネル５１上の操作を検知する機能部である。具体的には、操作検知部１１２は、タッチパネル５１へのタッチならびにタッチを継続しながらタッチ位置を変更する操作（以下、ドラッグ操作という）およびタッチの解除を検知する。また、操作検知部１１２は、タッチされているタッチパネル５１上の座標位置およびタッチが解除された座標位置を特定する。
【００３１】
また、操作検知部１１２は、タッチパネル５１上のタッチ位置を上下左右の一定方向に動かす動作（例えば、フリック操作あるいはスワイプ操作）を検知し、その操作方向（フリック操作あるいはスワイプ操作の方向）を特定する。ここで言うフリック操作とは、タッチパネル５１上のタッチ位置を一定方向に滑らせつつタッチパネル５１からタッチを離す動作をいう。また、スワイプ操作とは、タッチパネル５１上のタッチ位置を一定方向に滑らせる動作をいう。なお、以下でフリック操作と言う場合、フリック操作に代えてスワイプ操作であっても良い。
【００３２】
また、操作検知部１１２は、所定時間（例えば、０．５秒間）内にタッチパネル５１への複数回（例えば、２回）タッチ（以下、ダブルタップ操作という）を検知し、各々のタッチ位置を示すタッチパネル５１上の座標を特定する。
【００３３】
また、操作検知部１１２は、これらのタッチ操作やタッチの解除を検知すると、タッチ操作の種類と、タッチされている座標位置、タッチが解除された座標位置、フリック操作の方向およびダブルタップ操作による各タッチ位置の座標とを対応付けた信号を生成し、表示領域設定部１１３に出力する。
【００３４】
表示領域設定部１１３は、表示領域を設定する機能部である。具体的には、表示領域設定部１１３は、表示領域全体を１つの表示領域とした全画面領域または全画面領域を所定数（例えば、４つ）の表示領域に分割した分割領域を設定する。
【００３５】
ここで、表示領域設定部１１３が設定する分割領域について説明する。図３は、分割領域のレイアウトを示した図である。レイアウト１では、右下の位置に画面全体の３／４の面積を占める分割領域Ａ（以下、「３／４画面」という）が設定されている。３／４画面は、長辺と短辺との比が１６：９の割合で構成されている全画面領域の相似形となっており、全画面領域と同様、その長辺と短辺との比が１６：９の割合で構成されている。また、３／４画面を区画する辺同士を交点（ポインタ位置Ｎ）から延長することにより分割領域Ｂ（以下、「子ヨコ画面」という）、分割領域Ｃ（以下、「子タテ画面」という）および分割領域Ｄ（以下、「子小画面」という）が設定される。なお、長辺および短辺の比率（１６：９）や、占有面積（３／４）などの数値は、厳密な意味ではなく、略同一視できる範囲を含むものである。
【００３６】
レイアウト２では、３／４画面が左下の位置に設定されている。また、レイアウト３では、３／４画面が左上の位置に設定されている。また、レイアウト４では、３／４画面が右上の位置に設定されている。なお、レイアウト２〜４に係る分割領域Ａ〜Ｄの大きさおよび比率は、レイアウト１と同じである。
【００３７】
表示領域設定部１１３は、操作検知部１１２から出力される信号に基づき、表示領域のレイアウトを変更する。例えば、レイアウト１の分割領域を表示している状態で、ポインタへのタッチ操作が行われた場合について説明する。
【００３８】
ユーザがポインタをタッチしながらドラッグ操作を行ったことを検知すると、操作検知部１１２は、タッチパネル５１上におけるポインタの座標位置を検知し、タッチ操作の種類（この場合、ドラッグ操作）と対応付けた信号を定期的（例えば、０．１秒ごと）に表示領域設定部１１３に出力する。また、操作検知部１１２は、タッチが解除されたことを検知すると、かかる座標位置とタッチ操作の種類（この場合、タッチの解除）とを対応付けた信号を表示領域設定部１１３に出力する。かかる信号を取得すると、表示領域設定部１１３は、タッチの解除位置がタッチパネル５１上に設定したどの領域に含まれているかを特定し、分割領域のレイアウトを決定する。
【００３９】
図４（ａ）は、タッチ解除検知領域Ｏ〜Ｒとタッチ解除位置の一例を示した図である。表示領域設定部１１３は、ディスプレイ２上にタッチ解除検知領域Ｏ〜Ｒを設定する。かかる領域は、表示領域全体の長辺および短辺の中点同士を結ぶことにより４等分された領域である。タッチ解除検知領域Ｐでポインタへのタッチが解除された場合（解除位置Ｓ、Ｔ）、表示領域設定部１１３は、レイアウト２の分割領域を設定する。また、タッチ解除検知領域Ｑでポインタへのタッチが解除された場合（解除位置Ｕ、Ｖ）、表示領域設定部１１３は、レイアウト３の分割領域を設定する。また、タッチ解除検知領域Ｒでポインタへのタッチが解除された場合（解除位置Ｗ、Ｘ）、表示領域設定部１１３は、レイアウト３の分割領域を設定する。また、タッチ解除検知領域Ｏでポインタへのタッチが解除された場合（解除位置Ｙ、Ｚ）、表示領域設定部１１３は、レイアウト１の分割領域を設定する。
【００４０】
また、表示領域設定部１１３は、表示領域の四隅付近でポインタへのタッチが解除された場合、全画面領域を設定する。図４（ｂ）は、タッチ解除検知領域Ｅ１〜Ｅ４とタッチ解除位置Ｆ１〜Ｆ４の一例を示した図である。表示領域設定部１１３は、タッチ解除検知領域Ｏ〜Ｒの設定と同時に、ディスプレイ２上にタッチ解除領域Ｅ１〜Ｅ４を設定する。かかる領域は、表示領域の四隅の頂点を含む四半円の領域である。タッチ解除領域Ｅ１〜Ｅ４のいずれか一つの領域内でポインタへのタッチが解除された場合、表示領域設定部１１３は、表示領域として全画面領域を設定する。なお、全画面領域を設定した場合、表示領域設定部１１３は、タッチ解除位置の座標を示す信号を表示情報生成部１１４に出力する。
【００４１】
なお、表示領域設定部１１３は、ポインタの移動中に一時的に自由可変の分割領域を設定し、表示情報生成部１１４に表示指示を出力する。図５（ａ）は、ポインタの移動と分割領域の形状変化とを示した図である。ポインタの移動中すなわち操作検知部１１２からタッチの解除位置を含む信号を取得する前の時点では、表示領域設定部１１３は、操作検知部１１２から定期的に取得したポインタの座標位置を交点として４分割された分割領域を一時的に設定する。また、表示領域設定部１１３は、かかる分割領域の表示指示を表示情報生成部１１４に出力する。これにより、ポインタが移動している間、ポインタ位置Ｎに応じて形状が変化する分割領域が表示される。
【００４２】
操作検知部１１２によりタッチの解除が検知されると、表示領域設定部１１３は、解除位置に応じてレイアウト１〜４のいずれか１つを決定し、かかるレイアウトに従った分割領域を設定する。図５（ｂ）は、タッチ解除前後のポインタ位置Ｎおよび分割領域の変化を示した図である。位置ｉでポインタへのタッチが解除されると、一時的に設定および表示されていた分割領域は、レイアウト３の分割領域に変更される。
【００４３】
また、ユーザがタッチパネル５１に対してフリック操作したことを検知すると、操作検知部１１２は、タッチ操作の種類（この場合、フリック操作）とフリック操作の方向とを特定し、これらを対応付けた信号を表示領域設定部１１３に出力する。表示領域設定部１１３は、フリック操作の方向に基づいて分割領域のレイアウトを決定する。
【００４４】
図６（ａ）は、フリック操作（あるいはスワイプ操作）の方向を示した図である。フリック操作が右方向であることを示す信号を取得すると、表示領域設定部１１３は、現在の分割領域のレイアウトを特定する。例えば、レイアウト１の分割領域を表示している場合、表示領域設定部１１３は、ポインタを右方向に平行移動させた分割領域のレイアウトを特定する。すなわち、表示領域設定部１１３は、レイアウト２を特定し、かかるレイアウトに従った分割領域を設定する。図６（ｂ）は、フリック操作（あるいはスワイプ操作）の方向に基づいて変更された分割領域のレイアウトを示した図である。
【００４５】
また、例えば、レイアウト２の分割領域を表示中にフリック操作が下方向であることを示す信号を取得すると、表示領域設定部１１３は、ポインタを下方向に平行移動させた分割領域のレイアウトを特定する。すなわち、表示領域設定部１１３は、レイアウト３を特定し、かかるレイアウトに従った分割領域を設定する。
【００４６】
また、ユーザが表示領域の四隅のいずれか１箇所をダブルタップ操作したことを検知すると、操作検知部１１２は、各々のタッチ位置を示すタッチパネル５１上の座標を特定し、タッチ操作の種類（この場合、ダブルタップ操作）と各々の座標位置とを対応付けた信号を表示領域設定部１１３に送信する。表示領域設定部１１３は、ダブルタップ操作による各タッチ位置の座標が表示領域の四隅のいずれか１箇所の領域内に含まれている場合、全画面領域を設定する。なお、ダブルタップ操作により全画面領域を設定した場合、表示領域設定部１１３は、タッチされた座標位置を示す信号を表示情報生成部１１４に出力する。
【００４７】
図２に戻って説明する。表示情報生成部１１４は、表示領域に表示する表示情報を生成する機能部である。具体的には、表示情報生成部１１４は、表示ルール情報を用いて表示情報および表示形態を特定し、特定した表示形態により表示情報を表示する。
【００４８】
表示ルール情報は、分割領域のタイプ（「全画面領域」、「３／４画面」、「子ヨコ画面」、「子タテ画面」および「子小画面」）ごとに表示情報の種類および項目と各項目の表示形態とが対応付けられた情報である。表示情報の種類には、例えば、ナビゲーションに関する表示情報、オーディオに関する表示情報、ツールに関する表示情報およびＡＰＰ（Ａｐｐｌｉｃａｔｉｏｎ：アプリコンテンツ）に関する表示情報などがある。
【００４９】
なお、表示情報の種類がナビゲーションである場合、その項目には、地図、メニュー、ナビ設定、右左折情報（矢印）および交差点名などの誘導情報がある。また、表示情報の種類がオーディオである場合、その項目には、各ソース、映像、各ソース再生情報、基本操作ボタンなどがある。また、表示情報の種類がＡＰＰである場合、その項目には、ランチャー、各アプリ、固定アプリ、ランチャー呼出ボタンなどがある。また、表示情報の種類がツールである場合、その項目には、時計、各種インジケータ、各種設定ボタン、カスタムボタンなどがある。
【００５０】
レイアウト１〜４のいずれか１つが設定されている場合、表示情報生成部１１４は、４分割された分割領域の中から１つの分割領域を選択し、かかる分割領域のタイプを特定する。例えば、レイアウト１の右上の分割領域を選択した場合、表示情報生成部１１４は、かかる分割領域が子ヨコ画面であることを特定する。
【００５１】
また、表示情報生成部１１４は、選択した分割領域に対応付けられている表示情報の種類を特定する。例えば、表示情報生成部１１４は、各分割領域の位置と表示情報の種類との対応関係を含む所定情報（図示せず）を記憶部から取得し、かかる情報に基づいて、各分割領域に対応付けられている表示情報の種類を特定する。
【００５２】
また、表示情報生成部１１４は、表示ルール情報を用いて、各分割領域に表示する表示情報の項目および表示形態を特定する。具体的には、表示情報生成部１１４は、特定した分割領域のタイプと表示情報の種類とに基づいて、表示情報の項目および表示形態を表示ルール情報から特定し、分割領域に表示する。
【００５３】
このようにして、表示情報生成部１１４は、設定されているレイアウトの全ての分割領域に対して表示情報および表示形態を特定し、各分割領域に表示する。
【００５４】
図７（ａ）、（ｂ）および図８（ａ）、（ｂ）は、分割領域のタイプ別に異なる表示形態で表示された表示情報を示した図である。なお、本実施形態では、右上に位置する分割領域に表示情報の種類としてオーディオが対応付けられているものとする。図７（ａ）では、分割領域のタイプが「３／４画面」であるため、表示情報の項目としてテキスト情報、楽曲再生プログレスバー、アルバムジャケット、再生時間、音楽操作ボタン、リスト呼出ボタンなど、他の分割領域のタイプに比べてより多くの表示情報が表示される。
【００５５】
図７（ｂ）では、分割領域のタイプが「子ヨコ画面」であるため、横長の分割領域に適した表示情報の項目すなわちテキスト情報、再生時間、音楽操作ボタンなどが表示される。図８（ａ）では、分割領域のタイプが「子タテ画面」であるため、縦長の分割領域に適した表示情報の項目すなわちテキスト情報、再生時間、アルバムジャケット、音楽操作ボタンなどが表示される。
【００５６】
図８（ｂ）では、分割領域のタイプが「子小画面」であるため、必要最小限の表示情報の項目すなわち音楽操作ボタンが表示される。
【００５７】
また、全画面領域が設定されている場合、表示情報生成部１１４は、表示領域設定部１１３から取得した信号に基づいて、タッチ解除位置またはダブルタップ操作がされた座標位置を特定する。また、表示領域設定部１１３は、特定した座標位置と表示情報の種類との対応関係を含む所定情報（図示せず）を記憶部から取得し、かかる情報に基づいて、全画面領域に表示する表示情報の種類を特定する。また、表示情報生成部１１４は、前述と同様、表示ルール情報を用いて、全画面領域に表示する表示情報の項目および表示形態を特定し、特定した表示形態により表示情報を表示する。
【００５８】
記憶部１０２は、所定情報を格納する機能部である。具体的には、記憶部１０２は、地図情報１２１や表示ルール情報１２２および図示しない様々な情報を格納している。
【００５９】
以上、車載器１００の機能ブロックについて説明した。
【００６０】
なお、車載器１００の入力受付部１１１、操作検知部１１２、表示領域設定部１１３および表示情報生成部１１４は、ＣＰＵ２１に処理を行わせるプログラムによって実現される。このプログラムは、車載器１００のＲＯＭ２３または記憶装置３に格納されており、実行にあたってＲＡＭ２２上にロードされ、ＣＰＵ２１により実行される。
【００６１】
また、各機能ブロックは、本実施形態において実現される車載器１００の機能を理解容易にするために、主な処理内容に応じて分類したものである。したがって、各機能の分類の仕方やその名称によって、本発明が制限されることはない。また、車載器１００の各構成は、処理内容に応じて、さらに多くの構成要素に分類することもできる。また、１つの構成要素がさらに多くの処理を実行するように分類することもできる。
【００６２】
また、各機能部の全部または一部は、コンピュータに実装されるハードウェア（ＡＳＩＣといった集積回路など）により構築されてもよい。また、各機能部の処理が１つのハードウェアで実行されてもよいし、複数のハードウェアで実行されてもよい。
【００６３】
なお、車載器１００の記憶部１０２は、ＲＯＭ２３および記憶装置３によって実現される。
【００６４】
［動作の説明］
次に、車載器１００で実行される表示領域分割処理について説明する。図９は、表示領域分割処理の流れを示したフロー図である。かかる処理は、車載器１００の起動と共に開始される。
【００６５】
表示領域分割処理が開始されると、操作検知部１１２は、ユーザからタッチ操作を受け付けたか否かを判定する（ステップＳ００１）。受け付けていない場合（ステップＳ００１でＮｏ）、操作検知部１１２は、ステップＳ００１の処理を繰り返し実行する。一方で、タッチパネル５１の操作を受け付けた場合（ステップＳ００１でＹｅｓ）、操作検知部１１２は、処理をステップＳ００２に移行する。
【００６６】
次に、操作検知部１１２は、タッチ操作の種類を特定する（ステップＳ００２）。例えば、ポインタへのタッチおよびドラッグ操作であることを特定すると、操作検知部１１２は、タッチパネル５１上におけるポインタの座標位置を検知し、タッチ操作の種類（この場合、タッチおよびドラッグ操作）と対応付けた信号を定期的（例えば、０．１秒ごと）に表示領域設定部１１３に出力する。また、操作検知部１１２は、タッチが解除されたことを検知すると、タッチ操作の種類（この場合、タッチの解除）と座標位置とを対応付けた信号を表示領域設定部１１３に出力する。
【００６７】
次に、表示領域設定部１１３は、分割領域または全画面領域の設定を行う（ステップＳ００３）。例えば、タッチが解除された座標位置を示す信号を操作検知部１１２から取得すると、表示領域設定部１１３は、かかる座標位置に基づきタッチ解除検知領域（Ｏ、Ｐ、Ｑ、Ｒ、Ｅ１〜Ｅ４のいずれか一つ）を特定する。例えば、タッチが解除された座標位置がタッチ解除検知領域Ｏ、Ｐ、Ｑ、Ｒのいずれかである場合、表示領域設定部１１３は、分割領域のレイアウトを決定し、かかるレイアウトに従った分割領域を設定する。
【００６８】
次に、表示情報生成部１１４は、表示情報および表示形態を特定する（ステップＳ００４）。例えば、表示情報生成部１１４は、表示領域設定部１１３により設定された各分割領域のタイプを特定する。また、各分割領域の位置と表示情報の種類との対応関係を含む所定情報（図示せず）を記憶部１０２から取得し、分割領域のタイプと表示情報の種類とに基づいて、各分割領域に表示する表示情報の項目および表示形態を表示ルール情報から特定する。
【００６９】
次に、表示情報生成部１１４は、特定した表示形態による表示情報を生成し（ステップＳ００５）、これを各分割領域に表示する（ステップＳ００６）。また、表示情報生成部１１４は、処理をステップＳ００１に移行し、ステップＳ００１〜ステップＳ００６の処理を繰り返し実行する。
【００７０】
図１０（ａ）および図１１（ａ）は、各分割領域に表示された表示情報の一例とポインタのドラッグ操作およびフリック操作（あるいはスワイプ操作）を示した図である。図１０（ｂ）および図１１（ｂ）は、ドラッグ操作およびフリック操作（あるいはスワイプ操作）により変更された分割領域のレイアウトおよび変更後の分割領域に表示された表示情報の一例を示した図である。
【００７１】
図１０および図１１に示すように、本実施形態に係る車載器１００によれば、分割領域のレイアウトが変更された場合、各分割領域の大きさおよび形状に適した表示情報をより見易い表示形態で表示することができる。
【００７２】
また、本実施形態に係る車載器１００では、ポインタへのタッチが解除された位置やフリック操作の方向に基づき、予め用意されたレイアウトの中から１つのレイアウトに係る分割領域が適用される。そのため、分割領域の大きさや形状について細かく設定する必要がなくなる。すなわち、分割領域の大きさおよび形状をユーザの自由可変とした場合に比べて、ユーザの操作負担を軽減させることができる。
【００７３】
また、本実施形態に係る車載器１００では、所定のレイアウトに従って分割領域が設定される。このため、分割領域の設定をユーザの自由可変とした場合に比べて、ＣＰＵ２１の処理負担を軽減することができる。
【００７４】
また、本実施形態に係る車載器１００は、表示領域のレイアウトの変化に応じて、表示情報の種類ごとに表示対象となる項目の数や内容を変更して表示することができる。具体的には、表示情報生成部１１４は、表示ルール情報１２２を用いて表示領域の形状タイプに応じた表示情報の項目を特定することにより、表示情報の種類ごとに表示する項目数や項目の内容を特定して表示する。
【００７５】
図１２は、表示ルール情報１２２の一例を示した図である。表示ルール情報１２２は、表示領域の形状タイプごとに表示情報の種類とその項目とを対応付けた情報である。具体的には、表示ルール情報１２２は、表示領域の形状タイプ１２３ごとに、表示情報の種類であるナビゲーション（ＮＡＶＩ）１２４、オーディオ（ＡＵＤＩＯ）１２５、アプリコンテンツ（ＡＰＰ）１２６およびツール（ＴＯＯＬ）１２７に関する項目が対応付けられたテーブルを有している。
【００７６】
表示領域の形状タイプ１２３は、表示領域のレイアウトタイプを示す情報であって、全画面と、３／４画面と、子ヨコ画面（横帯画面）と、子タテ画面（縦帯画面）と、子小画面（小画面）とがある。表示情報の各種類の項目１２４〜１２７は、表示領域（分割領域）に表示する項目を示す情報である。例えば、全画面および３／４画面に対応付けられたＮＡＶＩの項目１２４には、地図と、メニューと、ナビ設定などがある。また、子ヨコ画面および子タテ画面に対応付けられたＮＡＶＩの項目１２４には、誘導情報として右左折情報、交差点名、残距離などがある。また、子小画面に対応付けられたＮＡＶＩの項目１２４には、誘導情報として右左折情報および残距離などがある。
【００７７】
また、例えば、全画面および３／４画面に対応付けられたＡＰＰの項目１２６には、ランチャーと、各アプリなどがある。また、子ヨコ画面および子タテ画面に対応付けられたＡＰＰの項目１２６には、固定アプリ（専用画面）と、ランチャー呼出ボタンなどがある。
【００７８】
このように、表示ルール情報１２２では、小さい表示領域の形状タイプ（例えば、子ヨコ画面など）に比べて、大きい表示領域の形状タイプ（例えば、全画面および３／４画面）に、より多くの項目が対応付けられているか、あるいは、比較的広い表示領域を必要とする項目（例えば、地図やランチャーなど）が対応付けられている。
【００７９】
表示情報生成部１１４は、このような表示ルール情報１２２を用いて、表示領域（各分割領域）に表示する項目を特定する。
【００８０】
また、図１３は、２本指で表示領域をフリック操作した場合の表示領域のレイアウト変更を示した図である。
【００８１】
具体的には、操作検知部１１２は、地図情報を表示したタッチパネル５１上の所定座標に対してユーザが１本指によるフリック操作したことを検知すると、かかる座標位置とフリック操作の方向とを対応付けた信号を表示情報生成部１１４に送信する。表示情報生成部１１４は、かかる信号を取得すると、地図情報をフリック操作の方向にスクロールさせた画面情報を生成し、これをディスプレイ２に表示する。
【００８２】
一方で、ユーザが２本指によるフリック操作をしたことを操作検知部１１２が検知すると、表示情報生成部１１４は、指が離れた位置にかかわらず、表示領域のレイアウトを変更する。
【００８３】
これにより、車載器１００は、１本指のフリック操作による地図のスクロールと、２本指のフリック操作による表示領域のレイアウト変更とを区別でき、ユーザの操作性および車載器１００の利便性を向上させることができる。
【００８４】
また、図１４は、（ａ）のレイアウトから（ｂ）のレイアウトの変化に応じて変化する表示内容の一例を示した図である。図示するように、変化前の（ａ）のレイアウトにおけるＮＡＶＩの表示領域１３０の形状タイプは子タテ画面である。この場合、表示情報生成部１１４は、表示ルール情報１２２に基づき、誘導情報として右左折情報と、残距離とを表示する。また、（ｂ）のレイアウトへの変化によりＮＡＶＩの表示領域１３０の形状タイプが３／４画面になると、表示情報生成部１１４は、表示ルール情報１２２に基づき、広い表示領域で表示可能な地図と、メニューと、ナビ設定とを表示する。
【００８５】
また、変化前の（ａ）のレイアウトにおけるＡＰＰの表示領域１３１の形状タイプは３／４画面である。この場合、表示情報生成部１１４は、表示ルール情報１２２に基づき、ランチャーや各アプリなどを表示する。また、（ｂ）のレイアウトへの変化によりＡＰＰの表示領域１３１の形状タイプが子タテ画面になると、表示情報生成部１１４は、表示ルール情報１２２に基づき、小さい表示領域でもユーザが視認し易いランチャー呼出ボタンを表示する。
【００８６】
また、変化前の（ａ）のレイアウトにおけるＴＯＯＬの表示領域１３２の形状タイプは子ヨコ画面である。この場合、表示情報生成部１１４は、表示ルール情報１２２に基づき、時計や各種インジケータなどを表示する。また、（ｂ）のレイアウトへの変化によりＴＯＯＬの表示領域１３２の形状タイプが子小画面になると、表示情報生成部１１４は、表示ルール情報１２２に基づき、小さい表示領域に応じた所定数（本例では、１つ）および所定種類（本例では、電話）のアイコンを表示する。
【００８７】
また、変化前の（ａ）のレイアウトにおけるＡＵＤＩＯの表示領域１３３の形状タイプは子小画面である。この場合、表示情報生成部１１４は、表示ルール情報１２２に基づき、基本操作ボタンを表示する。また、（ｂ）のレイアウトへの変化によりＡＵＤＩＯの表示領域１３３の形状タイプが子ヨコ画面になると、表示情報生成部１１４は、表示ルール情報１２２に基づき、子小画面よりも広い表示領域で表示可能な各ソース再生情報および基本操作ボタンを表示する。
【００８８】
このように、本実施形態に係る車載器１００では、表示ルール情報１２２を用いることにより、表示領域のレイアウトの変化に応じて表示情報の種類ごとに表示対象となる項目の数や内容を変更して表示することができる。例えば、相対的に小さい表示領域において数多くの項目（アイテム）を表示しようとすると、ユーザが視認し難いものとなってしまう。本発明に係る車載器１００では、上記の表示ルール情報１２２を用いることにより、そのような事態を防ぐことができる。
【００８９】
また、車載器１００では、表示ルール情報１２２を用いることにより、表示領域のレイアウトの変化に応じて、タッチ操作可能な対象であるアイコンの表示および非表示を制御することもできる。例えば、相対的に小さい表示領域において数多くのアイコンを表示しようとすると、そのサイズが小さくなってしまい、ユーザが押し難いものとなってしまう。特に、車両を運転している最中のユーザにとって、アイコンを長時間視認することは難しいため、サイズの小さいアイコンはより押し難いものとなってしまう。本発明に係る車載器１００では、上記の表示ルール情報１２２を用いることにより、表示領域の大きさに応じた適切な数や形態のアイコンを表示することにより、そのような事態を防ぐことができる。
【００９０】
また、表示情報生成部１１４は、表示領域に表示した項目あるいはアイコンへのタッチを受け付けると、かかる表示領域内に表示していた表示情報を、タッチされた項目やアイコンの種類に応じて特定される所定の表示情報に変更する。例えば、オーディオに関する表示領域内に音楽などを「再生中」であることを示すアイコンが表示されている場合、かかるアイコンへのタッチを受け付けると、表示情報生成部１１４は、タッチされたアイコンを「停止状態」を示すアイコンに変更する。また、例えば、ＡＰＰに関する表示領域内に表示された所定アプリを示すアイコンへのタッチを受け付けると、表示情報生成部１１４は、タッチされたアイコンのアプリに応じた画面情報（例えば、電話アプリがタッチされた場合、発着信履歴や電話番号を入力するためのテンキーなど）を表示する。
【００９１】
また、本発明は、上記の実施形態に限られるものではなく、これら以外にも様々な実施形態および変形例が含まれる。例えば、上記の実施形態は本発明を分かりやすく説明するために詳細に説明したものであり、必ずしも説明した全ての構成を備えるものに限定されるものではない。また、ある実施形態の構成の一部を他の実施形態や変形例の構成に置き換えることが可能であり、ある実施形態の構成に他の実施形態の構成を加えることも可能である。また、各実施形態の構成の一部について、他の構成の追加・削除・置換をすることが可能である。
【００９２】
また、上記の各構成、機能、処理部および処理手段などは、それらの一部または全部を、プロセッサが各々の機能を実現するプログラムにより実現しても良い。各機能を実現するプログラム、テーブル、ファイルなどの情報は、メモリや、ハードディスク、ＳＳＤ（Ｓｏｌｉｄ  Ｓｔａｔｅ  Ｄｒｉｖｅ）などの記憶装置、または、ＩＣカード、ＳＤ（Ｓｅｃｕｒｅ  Ｄｉｇｉｔａｌ）メモリカード、ＤＶＤなどの記録媒体に置くことができる。なお、制御線や情報線は説明上必要と考えられるものを示しており、製品上必ずしも全ての制御線や情報線を示しているとは限らない。
【符号の説明】
【００９３】
１００・・・車載器、１・・・演算処理装置、２・・・ディスプレイ、３・・・記憶装置、４・・・音声入出力装置、４１・・・マイクロフォン、４２・・・スピーカ、
５・・・入力装置、５１・・・タッチパネル、５２・・・ダイヤルスイッチ、
６・・・ＲＯＭ装置、７・・・車速センサ、８・・・ジャイロセンサ、
９・・・ＧＰＳ受信装置、１０・・・ＦＭ多重放送受信装置、
１１・・・ビーコン受信装置、１０１・・・演算部、１０２・・・記憶部、
１１１・・・入力受付部、１１２・・・操作検知部、１１３・・・表示領域設定部、
１１４・・・表示情報生成部、１２１・・・地図情報、１２２・・・表示ルール情報
【図１】
2017111075.tif 000003
【図２】
2017111075.tif 000004
【図３】
2017111075.tif 000005
【図４】
2017111075.tif 000006
【図５】
2017111075.tif 000007
【図６】
2017111075.tif 000008
【図７】
2017111075.tif 000009
【図８】
2017111075.tif 000010
【図９】
2017111075.tif 000011
【図１０】
2017111075.tif 000012
【図１１】
2017111075.tif 000013
【図１２】
2017111075.tif 000014
【図１３】
2017111075.tif 000015
【図１４】
2017111075.tif 000016
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
複数の分割領域に分割される表示領域を有し、前記複数の分割領域を区画する辺の位置が互いに異なる複数種類のレイアウトを表示可能な表示部と、
タッチパネルの操作を検知する操作検知部と、
前記操作検知部に検知された操作に基づき、前記複数のレイアウトの中から前記表示部に表示する１つのレイアウトを特定する分割領域設定部と、を有し、
前記分割領域設定部は、
前記表示部に表示されている前記分割領域を区画する辺上の一点を指定して当該一点を画面上で移動させる操作に基づき、前記１つのレイアウトを特定する
ことを特徴とする車載器。
【請求項２】
請求項１に記載の車載器であって、
前記複数の分割領域は、横辺および縦辺によって区画される４つの分割領域であり、
前記一点は、前記横辺および前記縦辺の交点である
ことを特徴とする車載器。
【請求項３】
請求項１に記載の車載器であって、
前記分割領域設定部は、
前記操作検知部により検知された操作の解除位置に基づき、前記分割領域のレイアウトを特定する
ことを特徴とする車載器。
【請求項４】
請求項１に記載の車載器であって、
前記分割領域設定部は、
前記操作検知部により検知された前記タッチパネル上の操作方向に基づき、前記分割領域のレイアウトを特定する
ことを特徴とする車載器。
【請求項５】
請求項１に記載の車載器であって、
前記分割領域設定部は、
前記操作検知部により検知された操作の解除位置または
タッチ位置とタッチ回数と、に基づいて、画面全体を１つの表示領域とした全画面領域を設定し、
前記操作の解除位置または前記タッチ位置に対応付けられた表示情報の種類と、前記表示領域の形状タイプとに基づいて、前記表示情報の項目および表示形態を特定し、特定した前記表示形態により前記表示情報を表示する表示情報生成部をさらに備える
ことを特徴とする車載器。
【請求項６】
請求項１に記載の車載器であって、
前記分割領域のレイアウトは、
前記表示領域全体の相似形であって、前記表示領域全体の略３／４の面積を占める分割領域と、
前記相似形の分割領域を区画する長辺および短辺を延長して形成される複数の分割領域とにより構成されている
ことを特徴とする車載器。
【請求項７】
車載器により実行される表示領域分割方法であって、
前記車載器は、
複数の分割領域に分割される表示領域を有し、前記複数の分割領域を区画する辺の位置が互いに異なる複数種類のレイアウトを表示可能な表示ステップと、
タッチパネルの操作を検知する検知ステップと、
前記検知ステップで検知された操作に基づき、前記複数のレイアウトの中から前記表示ステップで表示する１つのレイアウトを特定する分割領域設定ステップと、を行い、
前記分割領域設定ステップでは、
前記表示ステップにより表示された前記分割領域を区画する辺上の一点を指定して当該一点を画面上で移動させる操作に基づき、前記１つのレイアウトを特定する
ことを特徴とする表示領域分割方法。
【請求項８】
コンピュータを、車載器として機能させるプログラムであって、
前記コンピュータを、
複数の分割領域に分割される表示領域を有し、前記複数の分割領域を区画する辺の位置が互いに異なる複数種類のレイアウトを表示可能な表示部と、
タッチパネルの操作を検知する操作検知部と、
前記操作検知部に検知された操作に基づき、前記複数のレイアウトの中から前記表示部に表示する１つのレイアウトを特定する分割領域設定部として機能させ、
前記分割領域設定部は、
前記表示部に表示されている前記分割領域を区画する辺上の一点を指定して当該一点を画面上で移動させる操作に基づき、前記１つのレイアウトを特定する
ことを特徴とするプログラム。
【請求項９】
第１の情報を表示する第１の表示領域と第２の情報を表示する第２の表示領域とを含む表示領域のレイアウトを複数種類記憶する記憶部と、
前記第１の表示領域で表示される第１の情報と、前記第２の表示領域で表示される第２の情報と、を決定する制御部と、を備え、
前記制御部は、
一の前記レイアウトに基づいて前記第１の表示領域および前記第２の表示領域がタッチパネルに表示されているとき、前記タッチパネルにおいて、前記第１の表示領域を区画する辺同士の交点への接触が解除された位置に基づいて、前記複数種類のレイアウトのうちの何れかを選択することで、前記一のレイアウトを他のレイアウトに変更する
ことを特徴とする情報制御装置。
【請求項１０】
請求項９に記載の情報制御装置であって、
前記制御部は、
前記タッチパネルへの接触が解除された位置が前記第１の表示領域内のとき、第１の前記レイアウトを選択し、
前記タッチパネルへの接触が解除された位置が前記第２の表示領域内のとき、第２の前記レイアウトを選択する
ことを特徴とする情報制御装置。
【請求項１１】
請求項９または１０に記載の情報制御装置であって、
前記制御部は、
前記タッチパネルへの接触が解除されたとき、当該解除位置に応じて、一の表示領域と他の表示領域とを区画する区画線および当該区画線同士の交点を前記レイアウトに従って所定位置に移動させる
ことを特徴とする情報制御装置。
【請求項１２】
請求項９〜１１のいずれか一項に記載の情報制御装置であって、
前記制御部は、
第１の態様で前記タッチパネルへの接触が行われると、当該タッチパネルへの接触が解除された位置に基づいて前記複数種類のレイアウトのうちの何れかを選択し、
第２の態様で前記タッチパネルへの接触が行われると、当該タッチパネルへの接触が行われた位置と当該接触が解除された位置とによって特定される方向に基づき、前記複数種類のレイアウトのうちの何れかを選択する
ことを特徴とする情報制御装置。
【請求項１３】
請求項１０に記載の情報制御装置であって、
前記制御部は、
前記第１のレイアウトが選択されているときに前記第１の表示領域で表示する前記第１の情報に含まれる表示項目と、前記第２のレイアウトが選択されているときに前記第１の表示領域で表示する前記第１の情報に含まれる表示項目とを異ならせて表示する
ことを特徴とする情報制御装置。
【請求項１４】
請求項１３に記載の情報制御装置であって、
前記制御部は、
前記表示項目への接触が行われると、前記第１の表示領域に表示された前記第１の情報の表示を変更する
ことを特徴とする情報制御装置。
【手続補正２】
【補正対象書類名】明細書
【補正対象項目名】０００７
【補正方法】変更
【補正の内容】
【０００７】
上記課題を解決するため、本発明に係る車載器は、複数の分割領域に分割される表示領域を有し、前記複数の分割領域を区画する辺の位置が互いに異なる複数種類のレイアウトを表示可能な表示部と、タッチパネルの操作を検知する操作検知部と、前記操作検知部に検知された操作に基づき、前記複数のレイアウトの中から前記表示部に表示する１つのレイアウトを特定する分割領域設定部と、を有し、前記分割領域設定部は、前記表示部に表示されている前記分割領域を区画する辺上の一点を指定して当該一点を画面上で移動させる操作に基づき、前記１つのレイアウトを特定する。
【国際調査報告】
2017111075.tif 000017
2017111075.tif 000018
2017111075.tif 000019
2017111075.tif 000020